(57)【要約】【課題】包帯巻取り装置において包帯を巻き取る軸のぶれを防止し、十分な強さの巻力を得る。【解決手段】包帯巻取り装置は、ベース部と、ベース部に垂直に配置された１対の側部材と、両端が側部材に固定された並行なガイドであって手前側に配置された第１のガイドと奥側に配置された第２のガイドと、第１ガイド及び第２のガイドに案内されて可動する可動部材と、第１ガイド及び第２のガイドの上部に配置されかつ一端が１の該側部材に支持され、他端が可動部材に支持される、包帯を巻き取る巻取り軸とを備える。包帯は、第２のガイドに案内された後に第１のガイドに案内されて、巻取り軸に巻き取られる。【選択図】  図１
2015130965.tif 000002
【特許請求の範囲】
【請求項１】
ベース部と、
該ベース部に垂直に配置された１対の側部材と、
両端が該側部材に固定された並行なガイドであって、該ガイドは手前側に配置された第１のガイドと奥側に配置された第２のガイドから成り、
該第１及び第２のガイドに案内されて可動する可動部材と、
該第１及び第２のガイドの上部に配置され、かつ一端が１の該側部材に支持され、他端が該可動部材に支持される、包帯を巻き取る巻取り軸とを備える巻取り機構を有することを特徴とする包帯巻取り装置。
【請求項２】
前記巻取り機構と、
前記ベース部に係合して、前記巻取り機構を対象物に取り付けるクランプと、
前記巻取り軸と一体に構成され、前記１の側部材及び前記可動部材に対して該巻取り軸を着脱可能にするハンドルと、
を少なくとも別の部品として構成する請求項１記載の包帯巻取り装置。
【請求項３】
前記第１及び第２のガイドは該ベース部から等しい高さで並行に配置され、かつ前記巻取り軸は前記第１及び第２のガイドの中央上部に配置される
請求項１又は２記載の包帯巻取り装置。
【請求項４】
該包帯の幅に合わせた位置で前記可動部材を該ガイドに係止するステイ部材が該第１及び第２のガイドに係合して構成される
請求項１乃至３のいずれかの項記載の包帯巻取り装置。
【請求項５】
前記クランプの幅方向の長さは、前記１対の側部材の内側の長さに等しい
請求項１乃至４のいずれかの項記載の包帯巻取り装置。
【請求項６】
前記巻取り軸を支持する前記可動部材と前記１の該側部材はベアリングを有し、前記巻取り軸は該ベアリングに着脱自在に嵌合する
請求項１乃至５のいずれかの項記載の包帯巻取り装置。
【請求項７】
該包帯を、該第２のガイドに案内した後に該第１のガイドに案内して、その後前記巻取り軸に巻き取る
請求項１乃至６のいずれかの項記載の包帯巻取り装置。
【請求項８】
ベース部と、
該ベース部に垂直に配置された１対の側部材と、
両端が該側部材に固定された並行なガイドであって、該ガイドは手前側に配置された第１のガイドと奥側に配置された第２のガイドから成り、
該第１及び第２のガイドの上部に配置され、かつ一端が１の該側部材に支持され、他端が該他の該側部材に支持される、包帯を巻き取る巻取り軸と、を備え、
該第１及び第２のガイドは該ベース部から等しい高さで並行に配置され、かつ前記巻取り軸は前記第１及び第２のガイドの中央上部に配置される巻取り機構を有することを特徴とする包帯巻取り装置。
【発明の詳細な説明】
【技術分野】
【０００１】
本発明は、包帯の巻取り装置に係り、特に手動で包帯を巻き取って所定の固さを保つ円柱状の包帯を形成する包帯巻取り装置に関する。
【背景技術】
【０００２】
医療分野では包帯が再利用されることがある。包帯の再利用に当っては、包帯を洗濯した後に殺菌して、長状の包帯を所定の固さに巻き取り、円柱状の包帯として保管しておく。
【０００３】
従来から種々の包帯巻取り装置が提案されている。例えば、特許文献１には、比較的簡単な構成によって、包帯の巻取りを容易かつ迅速にしかもその巻取り固さを適宜調整でき、容易に取出せるようにした巻取り装置が開示されている。また、特許文献２には、コンパクトで携帯も容易な包帯巻器が開示されている。
【先行技術文献】
【特許文献】
【０００４】
【特許文献１】特開２００７−１１９２１２号公報
【特許文献２】特開２００１−５４５３７号公報
【発明の概要】
【発明が解決しようとする課題】
【０００５】
然るに、特許文献１に記載の包帯巻取り装置は、包帯の巻取り用のモータを備えた電動式の装置のため、コスト高となり携帯用としては不向きである。また、携帯用として格別な配慮もされていない。特許文献２に記載の包帯巻器は携帯可能であるが、包帯の巻取り固さ等に課題がある。即ち、包帯の巻取りに際しては、一方の手で移動板部を保持しながら他方の手でハンドルを回して包帯を巻き取る構造のため、包帯を巻き取る軸が不安定で、左右のぶれが生じ易く、十分な固さの包帯巻力が得られるとは言い難い。
【０００６】
本発明は、包帯を巻き取る軸のぶれを防止し、十分な固さの包帯巻力を得ることができる包帯巻取り装置を提供することにある。
本発明はまた容易に携帯可能な包帯巻取り装置を提供することにある。
【課題を解決するための手段】
【０００７】
本発明に係る包帯巻取り装置は、好ましくは、ベース部と、
該ベース部に垂直に配置された１対の側部材と、
両端が該側部材に固定された並行なガイドであって、該ガイドは手前側に配置された第１のガイドと奥側に配置された第２のガイドから成り、
該第１及び第２のガイドに案内されて可動する可動部材と、
該第１及び第２のガイドの上部に配置され、かつ一端が１の該側部材に支持され、他端が該可動部材に支持される、包帯を巻き取る巻取り軸とを備える巻取り機構を有することを特徴とする包帯巻取り装置として構成される。
【０００８】
好ましい例では、前記巻取り機構と、前記ベース部に係合して、前記巻取り機構を対象物に取り付けるクランプと、前記巻取り軸と一体に構成され、前記１の側部材及び前記可動部材に対して該巻取り軸を着脱可能にするハンドルと、を少なくとも別の部品として構成する。
【０００９】
また好ましくは、前記第１及び第２のガイドは該ベース部から等しい高さで並行に配置され、かつ前記巻取り軸は前記第１及び第２のガイドの中央上部に配置される。
また好ましくは、該包帯の幅に合わせた位置で前記可動部材を該ガイドに係止するステイ部材が該第１及び第２のガイドに係合して構成される。
【００１０】
また好ましくは、前記クランプの幅方向の長さは、前記１対の側部材の内側の長さに等しい。
また好ましくは、前記巻取り軸を支持する前記可動部材と前記１の該側部材はベアリングを有し、前記巻取り軸は該ベアリングに着脱自在に嵌合する。
また好ましくは、該包帯を、該第２のガイドに案内した後に該第１のガイドに案内して、その後前記巻取り軸に巻き取る。
【発明の効果】
【００１１】
本発明の好ましい例によれば、包帯を巻き取る軸のぶれを防止し、十分に固い巻力を得ることができる。また、容易に携帯可能な包帯巻取り装置を実現できる。
【図面の簡単な説明】
【００１２】
【図１】一実施例による包帯巻取り装置の構成を示す斜視図。
【図２】包帯の巻取り動作を示す包帯巻取り装置の側面図。
【図３】他の実施例による包帯巻取り装置の構成を示す斜視図。
【図４】他の実施例による包帯巻取り装置の巻取り機構の構成を示す斜視図。
【図５】他の実施例による包帯巻取り装置におけるクランプの構成を示す斜視図。
【発明を実施するための形態】
【００１３】
以下、図面を参照して、本発明の好ましい実施例について説明する。
【実施例１】
【００１４】
図１は包帯巻取り装置の構成例を示す。  
包帯巻取り装置は、包帯８を巻取り軸１２に巻き取る巻取り機構１と、巻取り機構１をテーブル９等の対象物に固定するクランプ部２が一体形成して構成される。これらの材料は鉄板である。
【００１５】
巻取り機構１は、側板１０と側板１５が底板１６に対して垂直に、かつお互いに並行に配置された、一体の板金で構成される。側板１０と側板１５の下部（底板１６から高さｈ）には、包帯８を案内するガイド１３及び１４が並行に配置して固定される。即ち、底板１０に形成された２つの穴１０３にガイド１３，１４の先端が嵌合し、一方の端はナットネジ１４２により側板１５に締め付け固定される。（ガイド１３側のナットネジは可動板１１の影になって見えない。）ガイド１３，１４の断面形状は円柱形状である。
なお、側板１０と側板１５は底板１６に溶接で一体形成してもよい。また、底板１６は側板１０、１５に対しては基盤となるので、側板１０，１５を結合したベース部ということもできる。
【００１６】
ガイド１３，１４には可動板１１が嵌合している。可動板１１の両側には、ガイドの移動を阻止して支持するガイドステイ１３１，１４１が配置される。可動板１１はガイド１３，１４に案内されて、矢印Ｙ方向へ移動可能であり、包帯８の幅に合わせて所望の位置で可動板１１を停止させ、ガイドステイ１３１，１４１によって可動板１１を支持する。
【００１７】
側板１０と可動板１１の上端には１対のベアリング１２１が配置され、この１対のベアリング１２１には、包帯８を巻き取る巻取り軸１２が嵌合している。巻取り軸１２の一端（右端）には、ハンドル１２４を固定したアーム１２３がネジ１２２により固定される。巻取り軸１２の断面は、例えば四角形状のような多角形状を成している。
【００１８】
クランプ部２は、底板１６がコ字状に曲げられて形成され、そのコ字部分がテーブル９にセットされる。底板１６の下側から留めネジ２１が嵌め込まれて、その先端に取り付けられた座金（図１ではテーブル９の裏側にあるので見えない）によってテーブル９の裏側を押すことで、包帯巻取り装置がテーブル９に固定される。底板１６のコ字状の上端は曲面形成されており（以下、Ｒ（アール）部２２という）、このＲ部２２に包帯を押し当てながら包帯８を巻き取ることで、包帯のしわが伸ばされる。
【００１９】
本実施例において、巻取り軸１２と、ガイド１３とガイド１４の側面から見た位置関係は二等辺三角形（底辺ｄ）になっている（図２を参照すると分かり易い）。つまり底辺となるガイド１３とガイド１４に対して、巻取り軸１２が中央上部に配置される。この配置関係によって、包帯の巻取り時に、巻取り軸１２に加わる力がガイド１３とガイド１４に均等に作用して、包帯を安定して巻き取れるように工夫されている。
【００２０】
図２は包帯の巻取り動作を示す、包帯巻取り装置の側面図である。  
包帯８は、作業者によって、テーブル９の手前側からガイド１３、ガイド１４の順に引っ掛けて案内して、最後に包帯８の先端を巻取り軸１２に手で案内する。最初はハンドル１２４を右手で時計方向にゆっくり回しながら包帯８を巻取り軸１２に巻き取らせていく。矢印が巻き取り方向を示す。
【００２１】
本実施例の特徴の１つに、包帯８の案内を考慮することによって、十分に強い包帯巻力を得ることがあげられる。即ち、包帯８は、テーブル９に固定されたクランプ部２のＲ部２２より案内され、巻取り機構１の奥側のガイド１３から折り返して、手前側のガイド１４の下側を通して、巻取り軸１２へと案内される。作業者は、包帯９の巻取り時に、包帯８の手元をクランプ部２のＲ部２２のやや下側に位置付けて、Ｒ部２２で包帯８をしごくように、ハンドル１２４を回す。Ｒ部２２のしごきによって包帯８のしわが伸ばされて、包帯の幅方向に十分に広げられる。更に、包帯８はガイド１３で１８０度折り返されて手前側のガイド１４へと案内される。もし、包帯８をガイド１３で１８０度折り返さないで他の方向（例えば上方向）へ案内する場合に比べて（仮の例であるが）、本実施例のように、包帯８をガイド１３で１８０度折り返して案内することで、包帯８は更にしわが伸ばされて十分なテンションが与えられる。更に、包帯８をガイド１３とガイド１４の２ヶ所でしごき力を与えることにより、包帯８には十分なテンションが作用する。この状態で包帯８が巻取り軸１２に巻き取られるので、巻き取られた包帯８は十分なテンションが働いた結果、十分な固さのものとなる。
【００２２】
また、ガイド１３とガイド１４は巻取り軸１２からの垂直線に対して線対称の位置に配置されている（即ち巻取り軸１２は、２つのガイド１３，１４の中央上部に位置する）。そのため、ハンドル１２４を右回りに回して包帯を巻き取る場合、前後のガイド１３，１４に均等に力が加わり、ガイド１３，１３と巻取り軸１２との間でガタが生じ難く、安定して包帯を巻き取ることができる。
包帯８の巻取りが終了すると、ベアリング１２１より巻取り軸１２を引き抜く。これによって均質に固く巻かれた包帯を取り出せる。
【００２３】
図２に示す例は、通常よく使用される面包帯の巻取り法の例である。一方、弾力包帯や伸縮包帯は十分な弾力や伸縮性があるので、図２の巻取り法を使用すると、巻取り時のテンションが一層強くなるので、かえって好ましくない。そこで、弾力包帯等は、手前側のガイド１４のみ（又は奥側のガイド１３のみ）に案内して巻取り軸１２に巻き取らせるのがよい。要するに、本実施例による包帯巻取り装置は、いろいろな包帯を巻き取るのに使用できる。
【実施例２】
【００２４】
実施例２の構成を図３〜図５に示す。  
実施例２は、実施例１の構成において、クランプ部２を巻取り機構１から分離して、を別の部品としたものである。この別部品をクランプ２´という。図４は巻取り機構１、図５はクランプ２´の構成を示し、図３は巻取り機構１をクランプ２´でテーブル９に固定した状態を示す。
【００２５】
実施例１では、図１に示すように、巻取り機構１の側板１０と側板１５を結合する底板が、クランプ部２と一体的に形成されている。一方、実施例２では、図４に示すように、巻取り機構１の側板１０と側板１５を一体的に結合する底板１６と、クランプ２´の上板２３は別部材である。
【００２６】
クランプ２´は、一枚板をコ字状に曲げて形成することができる。更に、クランプ２´の材料費を節約するために、図５に示すように構成するこができる。即ち、左右に延伸する上板２３と、中央部に位置して上板２３と並行な下板２４が、前板２５と一体形成されている。
下板２４の中央部には、留めネジ２１が嵌め込まれて、その先端に取り付けられた座金２１２によってテーブル９の裏側を押す。
【００２７】
実施例２の特徴として、クランプ２´の幅が、巻取り機構１の側板１０と側板１５の内側の距離ｗに等しいことである。即ち、クランプ２´の上板２３の側部が、巻取り機構１の側板１０と側板１５の間に密に嵌まり込むので、クランプ２´の上板２３の側部が側板１０と側板１５の内側をしっかりと支持できる。そのため、ハンドル１２４を回した時に側板１０と側板１５が左右に回転することが防止でき、巻取り軸１２のぶれを防止することができる。
【００２８】
更に、実施例２の特徴として、作業者が右利きでも左利きでも、均質な固さで包帯を巻き取ることができる。すわなち、右利きの作業者は図３のように、クランプ２´で巻取り機構１をテーブル９に固定する。一方、左利きの作業者は、巻取り機構１の左右を引っくり返して（即ちガイド１３側を手前に（ガイド１４を奥側に）して）、クランプ２´で固定する。この場合、巻取り軸１２とガイド１３と１４の側面から見た位置関係は二等辺三角形になっていること、及びガイド１３と１４の高さ（底板１６からの距離）が等しいことに意味がある。これにより、左右利きの違いがあっても、図２に示す巻取りの構成は変わらない。即ち、左右利きの違いがあっても巻取り軸１２にガタが生じず、均質で十分に固い包帯巻力を得ることができる。
【００２９】
もし前後のガイド１３，１４の高さｈが異なると、作業者の左右利きの違いによって図２に示す、巻取り軸１２とガイド１３とガイド１４の位置関係が二等辺三角形では無くなり、巻取り軸の位置関係が異なって来る。そのため、左右利きの違いが巻取りテンション力に影響を与えることになり、均質な包帯巻力を得ることができなくなる可能性がある。実施例２によればそのような不具合は無く、均質で固く包帯を巻き取ることができる。
【００３０】
更に実施例２の特徴として、巻取り軸１２と一体構成のハンドル１２４をベアリング１２１から抜き取り、このハンドル１２４と、巻取り機構１と、クランプ２´とを分解して、それぞれ別部品から成る１組の構成物として容易に携帯することができる。
【００３１】
<代案・変形例>
以上、本発明の好ましい実施例について説明したが、本発明は上記実施例に限定されず、更に種々変形、代替して実施し得る。
【００３２】
例えば、実施例２では、巻取り機構１と、クランプ２´と、巻取り軸を有するハンドル１２４を別部品として構成した。変形例によれば、更に巻取り機構１の分解度を上げて、ナットネジ１４２を外してガイド１３とガイド１４、可動板１１を分解することもできる。逆にこの場合は、これらの部品を組み立てるときに手間がかかるので、組みたて時の作業性を考慮して行うことが必要であろう。
【００３３】
また、上記実施例では、包帯の幅に合わせて可動板１１をガイド１３，１４に沿って移動可能に構成した。しかし、包帯の幅が一定（一種類の包帯）の場合、幅に合わせる必要がないので、可動板１１及びステイ１３１，１４１は不要となる。その場合には、可動板１１と同じ形状に形成した側板１５にベアリング１２１を取付けて、巻取り軸１２を支持するように構成することができる。他の機構は実施例１及び２と同様でよい。
【００３４】
また上記実施例では、アーム１２３やハンドル１２４等はそれぞれ別部材として構成され、ネジ等で結合して構成されるが、代替案によれば巻取り軸１２とハンドルは一体成形してもよい。
【００３５】
また、実施例１及び２の底板は平面状板である必要はない。必要な強度を維持することを前提にして、底板にスリットを形成し或いは底板の中央部を削除することにより、材料費を節約することができる。
また、側板や底板、クランプの部材は鉄板に限らず、アルミニウムや強化プラスチック、セラミックス製としてもよい。
【００３６】
なお、上記実施例の説明で用いた用語は一例であって、種々の呼び方や名称があろう。それらの呼称は本発明と同様の機能や作用を実現する限り、上記した実施例の構成要素と同様と考えてよい。例えば、側板はサイドパネルと呼ぶことができるし、機能面からは固定板と呼ぶことができる。可動板１１はスライド板と呼んでもよい。また、クランプ部又はクランプは、巻取り機構の固定部或いは固定具、取付け機構部と呼んでもよい。
【符号の説明】
【００３７】
１：巻取り機構  １０、１５：側板    １０３：穴
１１：可動板  １２：巻取り軸  １２１：ベアリング  １２２：ネジ  １２３：アーム  
１２４：ハンドル
１３，１４：ガイド  １３１：１４１：ステイ  １４２：ネジ  １６、１６´：底板
２：クランプ部  ２１：留めネジ  ２２：Ｒ部  ２´：クランプ
８：包帯  ９：テーブル
【図１】
2015130965.tif 000003
【図２】
2015130965.tif 000004
【図３】
2015130965.tif 000005
【図４】
2015130965.tif 000006
【図５】
2015130965.tif 000007
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
ベース部と、
該ベース部に垂直に配置された１対の側部材と、
両端が該側部材に固定された並行なガイドであって、該ガイドは手前側に配置された第１のガイドと奥側に配置された第２のガイドから成り、
該第１及び第２のガイドに案内されて可動する可動部材と、
該第１及び第２のガイドの上部に配置され、かつ一端が１の該側部材に支持され、他端が該可動部材に支持される、包帯を巻き取る巻取り軸とを備える巻取り機構を有し、
前記第１及び第２のガイドは該ベース部から等しい高さで並行に配置され、かつ前記巻取り軸は前記第１及び第２のガイドの中央上部に配置される
ことを特徴とする包帯巻取り装置。
【請求項２】
前記巻取り機構と、
前記ベース部に係合して、前記巻取り機構を対象物に取り付けるクランプと、
前記巻取り軸と一体に構成され、前記１の側部材及び前記可動部材に対して該巻取り軸を着脱可能にするハンドルと、
を少なくとも別の部品として構成する請求項１記載の包帯巻取り装置。
【請求項３】
該包帯の幅に合わせた位置で前記可動部材を該ガイドに係止するステイ部材が該第１及び第２のガイドに係合して構成される
請求項１又は２に記載の包帯巻取り装置。
【請求項４】
前記クランプの幅方向の長さは、前記１対の側部材の内側の長さに等しい
請求項２記載の包帯巻取り装置。
【請求項５】
前記巻取り軸を支持する前記可動部材と前記１の該側部材はベアリングを有し、前記巻取り軸は該ベアリングに着脱自在に嵌合する
請求項１乃至４のいずれかの項記載の包帯巻取り装置。
【請求項６】
ベース部と、
該ベース部に垂直に配置された１対の側部材と、
両端が該側部材に固定された並行なガイドであって、該ガイドは手前側に配置された第１のガイドと奥側に配置された第２のガイドから成り、
該第１及び第２のガイドの上部に配置され、かつ一端が１の該側部材に支持され、他端が該他の該側部材に支持される、包帯を巻き取る巻取り軸と、を備え、
該第１及び第２のガイドは該ベース部から等しい高さで並行に配置され、かつ前記巻取り軸は前記第１及び第２のガイドの中央上部に配置される巻取り機構を有することを特徴とする包帯巻取り装置。
【請求項７】
請求項１又は６に記載の包帯巻取り装置の使用方法であって、
包帯を、手前側から奥側に案内して、該第２のガイドに引っ掛けて手前側に折り返し、その後に該第１のガイドの下側を通して、その後前記巻取り軸に巻き取る
ことを特徴とする包帯巻取り装置の使用方法。